(57)【要約】【課題】付与された識別情報の読み取り精度を一定とすることができ、かつ、異なる種類の印刷物を識別情報によって選択的に重ね合わせる場合、重ね合わせた後に識別情報を用いてそのマッチング確認を行う。【解決手段】印刷物を識別するための識別情報３を、レーザ光の照射によって複数の穴５が識別情報に基づくパターンで形成されることにより印刷物に付与しておき、この識別情報３を検出する場合は、識別情報３が付与された領域に光を照射し、光が印刷物を透過した透過パターンを検出することにより、印刷物に付与された識別情報３を検出する。【選択図】  図１
2004213051.tif 000002
【特許請求の範囲】
【請求項１】
識別情報が付与された印刷物であって、
前記識別情報が、複数の穴が該識別情報に基づくパターンで形成されることにより付与されていることを特徴とする印刷物。
【請求項２】
請求項１に記載の印刷物において、
前記識別情報は、前記穴の位置、穴の大きさ、２つの穴の距離、３つの穴により形成される角度の組み合わせの少なくとも１つによって付与されていることを特徴とする印刷物。
【請求項３】
請求項１に記載の印刷物において、
前記複数の穴は、用紙を切り離すためのミシン目の一部であることを特徴とする印刷物。
【請求項４】
請求項３に記載の印刷物において、
前記複数の穴間が、選択的に削り取られていることを特徴とする印刷物。
【請求項５】
請求項１乃至４のいずれか１項に記載の印刷物において、
前記穴は、レーザ光の照射によって形成されていることを特徴とする印刷物。
【請求項６】
請求項１乃至５のいずれか１項に記載の印刷物を重ね合わせる工程における印刷物の検査方法であって、
前記重ね合わせる印刷物のそれぞれに同一の識別情報を同一の領域に付与する処理と、
前記印刷物を重ね合わせる処理と、
前記重ね合わされた印刷物に光を照射する処理と、
前記光が前記印刷物を透過した透過パターンと、該印刷物に付与された識別情報を形成するパターンとを比較する処理とを有することを特徴とする印刷物の検査方法。
【発明の詳細な説明】
【０００１】
【発明の属する技術分野】
本発明は、帳票等の印刷物、並びにその印刷物を重ね合わせる工程における印刷物の検査方法に関する。
【０００２】
【従来の技術】
従来より、クレジットカードの入会申込書やクレジットカードの利用明細書あるいは請求書、その他、例えば、宅配便の貼付シート等に代表される帳票においては、様々な分野で利用されており、発行元やその目的の違いによって様々な種類が設定されている。
【０００３】
図４は、一般的な帳票の一例を示す図である。
【０００４】
図４に示すように一般的な帳票においては、所定の情報が予め印刷されているプレ印刷領域２０１と、送付先毎に個別な情報が印刷されている可変情報印刷領域２０２とが設けられており、可変情報印刷領域２０２は、プレ印刷領域２０１とともに予め印刷された枠２０４内に設けられている。また、送付先あるいは帳票を識別可能な識別情報２０３がバーコード等によって印刷されている。
【０００５】
上記のように構成された帳票においては、識別情報２０３によって帳票の送付先あるいは帳票自体が識別可能であるため、この識別情報２０３を読み取ることにより、例えば、帳票の送付作業や、返信されてきた帳票の管理を行うことができる。
【０００６】
例えば、帳票の送付作業の管理を行う場合は、帳票にバーコード等によって印刷された識別情報２０３を読み取り、この識別情報２０３によって識別される送付先毎に帳票を振り分けたり、異なる種類の帳票を送付先毎に重ね合わせたりする等といった作業を管理することができる。
【０００７】
帳票に印刷された識別情報２０３を用いて、異なる種類の帳票を送付先毎に重ね合わせる場合は、重ね合わされる帳票のそれぞれに、１つの送付先に対して同一の識別情報２０３を印刷しておき、同一の識別情報２０３が印刷された帳票を重ね合わせることになる。
【０００８】
図５は、図４に示したような帳票を重ね合わせる工程を説明するための図である。
【０００９】
キー帳票ディタッチャー２１０から、例えば、宛先情報が記載された帳票がコンベヤー２４０上に供給されると、まず、バーコードリーダー２２１において、コンベヤー２４０上に供給された帳票に印刷された識別情報２０３となるバーコード情報が読み取られ、読み取られたバーコード情報がホストコンピュータ２５０に送られる。
【００１０】
ホストコンピュータ２５０においては、帳票の送付先毎に、フォームディタッチャー２３０−１〜２３０−ｎから供給される互いに異なる種類の帳票のうち、どの帳票をキー帳票ディタッチャー２１０からコンベヤー２４０上に供給された帳票に組み合わせて送付するかが予め登録されており、バーコードリーダー２２１にて帳票から読み取られたバーコード情報に基づいて、フォームディタッチャー２３０−１〜２３０−ｎの動作が制御される。
【００１１】
ホストコンピュータ２５０において、バーコードリーダー２２１にて帳票から読み取られたバーコード情報に基づいて、フォームディタッチャー２３０−１〜２３０−ｎのうちどのフォームディタッチャーから供給される帳票を、コンベヤー２４０上を搬送される帳票に組み合わせるかが判断され、コンベヤー２４０上を搬送される帳票に組み合わせる帳票を供給するフォームディタッチャーに対して帳票を供給するための信号が出力される。
【００１２】
すると、帳票を供給するための信号をホストコンピュータ２５０から受け取ったフォームディタッチャーから、コンベヤー２４０上に帳票が供給されるが、その際、バーコードリーダー２２２−１〜２２２−ｎにおいて、フォームディタッチャー２３０−１〜２３０−ｎからコンベヤー２４０上に供給される帳票に印刷されたバーコード情報が読み取られ、ホストコンピュータ２５０において、コンベヤー２４０上を搬送される帳票から読み取られたバーコード情報とフォームディタッチャー２３０−１〜２３０−ｎからコンベヤー２４０上に供給される帳票に印刷されたバーコード情報とが一致しているかどうかが判断される。
【００１３】
ここで、コンベヤー２４０上にて重ね合わされる帳票には、それぞれ同一のバーコード情報が印刷されているはずであるため、コンベヤー２４０上を搬送される帳票から読み取られたバーコード情報とフォームディタッチャー２３０−１〜２３０−ｎからコンベヤー２４０上に供給される帳票に印刷されたバーコード情報とが一致しない場合は、エラーが出力される。
【００１４】
また、コンベヤー２４０上を搬送される帳票から読み取られたバーコード情報とフォームディタッチャー２３０−１〜２３０−ｎからコンベヤー２４０上に供給される帳票に印刷されたバーコード情報とが一致する場合は、フォームディタッチャー２３０−１〜２３０−ｎからコンベヤー２４０上に帳票が供給され、コンベヤー２４０上にて帳票が重ね合わされて搬送されていく。
【００１５】
このように、複数の帳票が送付先毎に重ね合わされる場合は、重ね合わせる直前にて、帳票に印刷されたバーコード情報が読み取られ、帳票どうしのマッチング確認が行われている。
【００１６】
また、帳票に印刷された識別情報２０３を用いて、返信されてきた帳票の管理を行う場合は、返信されてきた帳票に印刷された識別情報２０３を読み取ることにより、この帳票の送付先が識別され、識別された送付先に送付された帳票が返信されたことが認識されることになる。
【００１７】
しかしながら、上述したような従来の帳票においては、帳票あるいは帳票の送付先を識別するための識別情報がバーコード情報等によって帳票に印字されているため、帳票のデザインを損ねてしまうという問題点がある。また、バーコード情報等を印刷する際のインクの色によって読み取り光の反射率が異なるため、バーコード情報等の印刷色によって読み取り精度が異なってしまうという問題点がある。また、バーコード情報の背景となる用紙の色や、バーコード情報が印刷された領域の背景部分の印刷色（地紋や背景の模様）、用紙の材質（光沢の有無等）によっては、白色の用紙にバーコード情報が印刷された場合と比べて読み取り光の反射率が低くなり、読み取り精度が低下してしまうという問題点もある。
【００１８】
そこで、バーコード情報等の識別情報を、通常は視認不可能であり、励起光を照射することにより視認可能となるステルスインクを用いて帳票に印刷しておく技術が考えられている（例えば、特許文献１参照。）。
【００１９】
【特許文献１】
特開２００１−１８８８７０号公報
【００２０】
【発明が解決しようとする課題】
しかしながら、上述したような、バーコード情報等により識別情報が印刷されている帳票等の印刷物においては、異なる種類の印刷物を識別情報によって選択的に重ね合わせる場合、重ね合わせた後に識別情報を用いてそのマッチング確認を行うことができないという問題点がある。
【００２１】
本発明は、上述したような従来の技術が有する問題点に鑑みてなされたものであって、付与された識別情報の読み取り精度を一定とすることができ、かつ、異なる種類の印刷物を識別情報によって選択的に重ね合わせる場合、重ね合わせた後に識別情報を用いてそのマッチング確認を行うことができる印刷物及びその検査方法を提供することを目的とする。
【００２２】
【課題を解決するための手段】
上記目的を達成するために本発明は、
識別情報が付与された印刷物であって、
前記識別情報が、複数の穴が該識別情報に基づくパターンで形成されることにより付与されていることを特徴とする。
【００２３】
また、前記識別情報は、前記穴の位置、穴の大きさ、２つの穴の距離、３つの穴により形成される角度の組み合わせの少なくとも１つによって付与されていることを特徴とする。
【００２４】
また、前記複数の穴は、用紙を切り離すためのミシン目の一部であることを特徴とする。
【００２５】
また、前記複数の穴間が、選択的に削り取られていることを特徴とする。
【００２６】
また、前記穴は、レーザ光の照射によって形成されていることを特徴とする。
【００２７】
また、前記印刷物を重ね合わせる工程における印刷物の検査方法であって、
前記重ね合わせる印刷物のそれぞれに同一の識別情報を同一の領域に付与する処理と、
前記印刷物を重ね合わせる処理と、
前記重ね合わされた印刷物に光を照射する処理と、
前記光が前記印刷物を透過した透過パターンと、該印刷物に付与された識別情報を形成するパターンとを比較する処理とを有することを特徴とする。
【００２８】
（作用）
上記のように構成された本発明においては、印刷物を識別するための識別情報が、複数の穴が識別情報に基づくパターンで形成されることにより印刷物に付与されているので、この識別情報を検出する場合は、識別情報が付与された領域に光を照射し、光が印刷物を透過した透過パターンを検出すれば、印刷物に付与された識別情報が検出されることになる。
【００２９】
このように、識別情報を表現するために印刷物に形成された穴を透過した光のパターンによって識別情報が検出されるので、印刷物に付与された識別情報の読み取り精度が一定となる。
【００３０】
また、このような印刷物を重ね合わせてそのマッチング確認を行う場合は、重ね合わせた印刷物の識別情報が付与された領域に光を照射し、光が印刷物を透過した透過パターンと、印刷物に付与された識別情報を形成するパターンとを比較することにより、重ね合わせた印刷物のマッチング確認が行われるので、印刷物を重ね合わせた後にて識別情報を用いてそのマッチング確認を行うことができる。
【００３１】
【発明の実施の形態】
以下に、本発明の実施の形態について図面を参照して説明する。
【００３２】
（第１の実施の形態）
図１は、本発明の印刷物の第１の実施の形態を示す図であり、（ａ）は外観図、（ｂ）は（ａ）に示した識別情報３が形成された周辺の拡大図である。
【００３３】
図１に示すように本形態においては、所定の情報が予め印刷されているプレ印刷領域１と、送付先毎に個別な情報が印刷されている可変情報印刷領域２とが設けられており、可変情報印刷領域２は、プレ印刷領域１とともに予め印刷された枠４内に設けられている。また、送付先あるいは帳票を識別可能な識別情報３が、複数の穴５が所定のパターンで形成されることにより表現されている。この識別情報３は、穴５の羅列方向の長さと穴５の間隔とによって識別情報３が表現されており、レーザ光の照射によって形成されている。また、穴５の羅列方向に対して垂直方向の幅Ｗは、穴５を形成した後、穴５に光を照射した場合に光が穴５を透過することができる程度のものとする。
【００３４】
上記のように構成された帳票においては、識別情報３によって帳票の送付先あるいは帳票自体が識別可能であるため、この識別情報３が形成された領域に光を照射し、その光の透過パターンを検出することにより、例えば、帳票の送付作業や、返信されてきた帳票の管理を行うことができる。
【００３５】
例えば、帳票の送付作業の管理を行う場合は、帳票に形成された複数の穴５の羅列方向の長さやその間隔からなるパターンで表現される識別情報３を検出し、この識別情報３によって識別される送付先毎に帳票を振り分けたり、異なる種類の帳票を送付先毎に重ね合わせたりする等といった作業を管理することができる。
【００３６】
帳票に形成された複数の穴５の羅列方向の長さやその間隔からなるパターンで表現される識別情報３を用いて、異なる種類の帳票を送付先毎に重ね合わせる場合は、重ね合わされる帳票のそれぞれに、１つの送付先に対して同一の識別情報３を、複数の穴５の羅列方向の長さやその間隔からなるパターンで表現しておき、同一の識別情報３が付与された帳票を重ね合わせることになる。
【００３７】
図２は、図１に示したような帳票を重ね合わせる場合の検査方法を説明するための図である。
【００３８】
キー帳票ディタッチャー１０から、例えば、宛先情報が記載された帳票がコンベヤー４０上に供給されると、まず、検出器２１において、コンベヤー４０上に供給された帳票に付与された識別情報３が検出され、検出された識別情報３がホストコンピュータ５０に送られる。ここで、識別情報３は、帳票上に形成された複数の穴５の羅列方向の長さとそれらの穴５の間隔とからなるパターンによって表現されているため、この識別情報３が付与された領域に光を照射し、その光の透過パターンを検出することにより、帳票に付与された識別情報３が検出される。
【００３９】
ホストコンピュータ５０においては、帳票の送付先毎に、フォームディタッチャー３０−１〜３０−ｎから供給される互いに異なる種類の帳票のうち、どの帳票をキー帳票ディタッチャー１０からコンベヤー４０上に供給された帳票に組み合わせて送付するかが予め登録されており、検出器２１にて帳票から検出された識別情報３に基づいて、フォームディタッチャー３０−１〜３０−ｎの動作が制御される。なお、フォームディタッチャー３０−１〜３０−ｎから供給される帳票には、１つの送付先に対して同一の識別情報３が、同一の領域に付与されており、また、この識別情報３は、キー帳票ディタッチャー１０から供給される帳票に対して、同一の送付先であれば、同一の識別情報３が同一の領域に付与されているものとする。
【００４０】
ホストコンピュータ５０において、検出器２１にて帳票から検出された識別情報３に基づいて、フォームディタッチャー３０−１〜３０−ｎのうちどのフォームディタッチャーから供給される帳票を、コンベヤー４０上を搬送される帳票に組み合わせるかが判断され、コンベヤー４０上を搬送される帳票に組み合わせる帳票を供給するフォームディタッチャーに対して帳票を供給するための信号が出力される。
【００４１】
すると、帳票を供給するための信号をホストコンピュータ５０から受け取ったフォームディタッチャーから、コンベヤー４０上に帳票が供給され、コンベヤー４０上にて帳票が重ね合わされて搬送されていく。
【００４２】
その後、検出器２２において、コンベヤー４０上を重ね合わされた状態で搬送されてきた帳票に付与された識別情報３が検出され、その検出結果に基づいて、コンベヤー４０上を搬送されてきた帳票について、同一の送付先に送付される帳票が重ね合わされているかどうかが判断されることになる。
【００４３】
キー帳票ディタッチャー１０及びフォームディタッチャー３０−１〜３０−ｎから供給される帳票においては、それぞれ、送付先を識別可能な識別情報３が、帳票上の所定の領域に形成された複数の穴５の羅列方向の長さとそれらの穴５の間隔とからなるパターンによって表現されているため、この識別情報３が付与された領域に光を照射し、その光の透過パターンを検出することにより、帳票に付与された識別情報３が検出される。コンベヤー４０上を重ね合わされて搬送されてきた帳票が同一の送付先に送付されるものである場合は、識別情報３が同一であるため、識別情報３を表現するための穴５の大きさ及び間隔は互いに同一のものである。そのため、ホストコンピュータ５０にて管理される識別情報と検出器２２にて検出された識別情報３とが照合され、両者が一致した場合は、コンベヤー４０上を搬送されてきた帳票が、同一の送付先に送付される帳票が重ね合わされていると判断され、また、両者が一致しない場合は、コンベヤー４０上を搬送されてきた帳票が、同一の送付先に送付される帳票以外のものが重ね合わされていると判断されることになる。
【００４４】
なお、光の透過パターンの検出においては、穴５が形成されている領域と穴５が形成されていない領域との違いで検出する以外にも、複数の帳票が重ね合わされた場合、帳票を透過した光のパワーの違いによっても透過パターンを検出することも考えられる。
【００４５】
このように、本形態においては、複数の帳票が送付先毎に重ね合わされる場合は、複数の帳票が重ね合わされた後にて、重ね合わされた帳票に付与された識別情報３が検出され、帳票どうしのマッチング確認が行われている。
【００４６】
また、帳票に付与された識別情報３を用いて、返信されてきた帳票の管理を行う場合は、返信されてきた帳票に付与された識別情報３を、上記同様の方法によって検出することにより、この帳票の送付先が識別され、識別された送付先に送付された帳票が返信されたことが認識されることになる。
【００４７】
なお、本形態においては、プレ印刷領域１及び可変情報印刷領域２が設けられた帳票に、送付先あるいは帳票を識別可能な識別情報３が、複数の穴５が所定のパターンで形成されることにより表現されているものを例に挙げて説明したが、本発明はこれに限らず、複数の穴５が所定のパターンで形成されることにより識別情報３が表現されたものであればよく、例えば、直線的に穴５を形成するのではなく、２次元コードのような形態に穴５を形成したり、用紙の周辺に穴５を点在させたりすることによって識別情報３を表現することも考えられる。その場合、穴５の位置、穴５の大きさ、２つの穴５の距離、３つの穴５により形成される角度等の組み合わせにより、識別情報３が表現されることになる。
【００４８】
（第２の実施の形態）
図３は、本発明の印刷物の第２の実施の形態を示す図であり、（ａ）は外観図、（ｂ）は（ａ）に示した識別情報１０３ａが形成された周辺の拡大図、（ｃ）は（ｂ）に示したＡ−Ａ’断面図である。
【００４９】
図３に示すように本形態においては、所定の情報が予め印刷されているプレ印刷領域１０１と、送付先毎に個別な情報が印刷されている可変情報印刷領域１０２と、利用者が情報を記入するための情報記入領域１０６とが設けられており、可変情報印刷領域１０２は、プレ印刷領域１０１とともに予め印刷された枠１０４内に設けられている。また、所定の領域にミシン目１０３が形成されており、このミシン目１０３によって切り離し可能に構成されている。ここで、本形態におけるミシン目１０３においては、レーザ光の照射によって所定のパターンで形成された複数の穴１０５の羅列方向のそれぞれの長さと穴１０５どうしの間隔とによって表現され、帳票の種類あるいは帳票の送付先を識別可能な識別情報１０３ａが含まれている。また、穴１０５の羅列方向に対して垂直方向の幅Ｗは、穴１０５を形成した後、穴１０５に光を照射した場合に光が穴１０５を透過することができる程度のものとする。さらに、穴１０５の間隔が所定の広さ以上である領域は、レーザ光の照射によって、その表面が燃焼あるいは昇華して削り取られており、その厚さｔ2は、他の領域の厚さｔ1よりも薄くなっている。これにより、識別情報を表現するために穴１０５の間隔が広い領域においても、ミシン目１０３が切り離しやすくなっている。
【００５０】
上記のように構成された帳票においては、ミシン目１０３の一部によって表現される識別情報１０３ａにより帳票の送付先あるいは帳票自体が識別可能であるため、この識別情報１０３ａが形成された領域に光を照射し、その光の透過パターンを検出することにより、例えば、帳票の送付作業や、返信されてきた帳票の管理を行うことができる。
【００５１】
例えば、帳票の送付作業の管理を行う場合は、第１の実施の形態にて説明したような方法で、帳票に形成されたミシン目１０３の一部を構成する複数の穴１０５の羅列方向の長さやその間隔からなるパターンで表現される識別情報１０３ａを検出し、この識別情報によって識別される送付先毎に帳票を振り分けたり、異なる種類の帳票を送付先毎に重ね合わせたりする等といった作業を管理する。
【００５２】
また、帳票に形成されたミシン目１０３の一部を構成する複数の穴１０５の羅列方向の長さやその間隔からなるパターンで表現される識別情報１０３ａを用いて、返信されてきた帳票の管理を行う場合は、返信されてきた帳票に形成されたミシン目１０３の一部を構成する複数の穴１０５の羅列方向の長さやその間隔からなるパターンで表現される識別情報１０３ａを、第１の実施の形態にて説明した方法によって検出することにより、この帳票の送付先が識別され、識別された送付先に送付された帳票が返信されたことが認識されることになるが、図３に示したような帳票のように、ミシン目１０３によって切り離された一方の片が返信用とされる場合、切り離された辺において、所定の方向にずれている領域とそれとは反対方向にずれている領域とを検出し、その領域のパターンから識別情報を認識することになる。
【００５３】
なお、本形態においては、プレ印刷領域１０１、可変情報印刷領域１０２及び情報記入領域１０６が設けられた帳票に、送付先あるいは帳票を識別可能な識別情報１０３ａが、複数の穴１０５が所定のパターンで形成されて構成されたミシン目１０３の一部として表現されているものを例に挙げて説明したが、本発明はこれに限らず、複数の穴１０５が所定のパターンで形成されて構成されたミシン目１０３の一部によって識別情報１０３ａが表現されたものであればよい。
【００５４】
また、上述した２つの実施の形態においては、識別情報３，１０３ａを表現するための穴５，１０５が、レーザ光の照射によって形成されているものを例に挙げて説明したが、本発明はこれに限定されず、識別情報３，１０３ａを表現する所定のパターンに穴５，１０５を形成可能な装置を用いて穴５，１０５を形成することも考えられる。
【００５５】
【発明の効果】
以上説明したように本発明においては、識別情報が付与された印刷物であって、識別情報が、複数の穴が該識別情報に基づくパターンで形成されることにより付与されている構成としたため、識別情報が付与された領域に光を照射し、光が印刷物を透過した透過パターンを検出すれば、印刷物に付与された識別情報が検出されることになり、それにより、印刷物に付与された識別情報の読み取り精度を一定とすることができる。
【００５６】
また、識別情報が、穴の位置、穴の大きさ、２つの穴の距離、３つの穴により形成される角度の組み合わせの少なくとも１つによって付与されているものにおいては、印刷物に識別情報が付与されていることを認識されにくくすることができる。
【００５７】
また、複数の穴が、用紙を切り離すためのミシン目の一部であるものにおいては、識別情報によって帳票のデザインを損ねることがなくなる。
【００５８】
また、ミシン目を構成する複数の穴間が、選択的に削り取られているものにおいては、識別情報によって穴の間隔が広い領域においても、ミシン目を切り離しやすくすることができる。
【００５９】
また、上述した印刷物を重ね合わせる工程における印刷物の検査方法であって、重ね合わせる印刷物のそれぞれに同一の識別情報を同一の領域に付与する処理と、印刷物を重ね合わせる処理と、重ね合わされた印刷物に光を照射する処理と、光が印刷物を透過した透過パターンと、該印刷物に付与された識別情報を形成するパターンとを比較する処理とを行うものにおいては、印刷物を重ね合わせた後にて識別情報を用いてそのマッチング確認を行うことができる。
【図面の簡単な説明】
【図１】本発明の印刷物の第１の実施の形態を示す図であり、（ａ）は外観図、（ｂ）は（ａ）に示した識別情報が形成された周辺の拡大図である。
【図２】図１に示したような帳票を重ね合わせる場合の検査方法を説明するための図である。
【図３】本発明の印刷物の第２の実施の形態を示す図であり、（ａ）は外観図、（ｂ）は（ａ）に示した識別情報が形成された周辺の拡大図、（ｃ）は（ｂ）に示したＡ−Ａ’断面図である。
【図４】一般的な帳票の一例を示す図である。
【図５】図４に示したような帳票を重ね合わせる工程を説明するための図である。
【符号の説明】
１，１０１    プレ印刷領域
２，１０２    可変情報印刷領域
３，１０３ａ    識別情報
４，１０４    枠
５，１０５    穴
１０    キー帳票ディタッチャー
２１，２２    検出器
３０−１〜３０−ｎ    フォームディタッチャー
４０    コンベヤー
５０    ホストコンピュータ
１０３    ミシン目
１０６    情報記入領域
【図１】
2004213051.tif 000003
【図２】
2004213051.tif 000004
【図３】
2004213051.tif 000005
【図４】
2004213051.tif 000006
【図５】
2004213051.tif 000007